(57)【要約】【課題】  本発明は、正のオフセット、正弦波形、矩形波形、三角波形、下限と上限の間で選択可能な周波数を有する電気信号を、マイクロプロセッサによって数値制御される可変利得をもって発生することにより得られる生体共鳴機能性医学における電子装置およびその使用方法に関する。この装置は、選択可能なオン／オフ時間で、人体内にあり得る外部回路を介して一定の電流または変調電流を提供することができ、人体内の２つの回路で適用できる２つの独立的にプログラム可能な、電気的に絶縁された電気信号を同時に発生することができ、手順、機能、または治療を生成することが可能である。手順は、対応するパラメータを有する信号タイプを発生し、機能は手順のシーケンスを含んでおり、治療は、独自のデータベースを用い、または、専門医療関係者の専門的な支援を受けて、人体内の微生物の存在を検出し、人体からその微生物を駆除するために実行される機能および手順のシーケンスを含むものである。本発明の特徴は、遠隔医療基準の要件に従って個人に合わせて調整された手順、機能、または治療を生成し、患者にそれを伝達することである。【選択図】  図１
2008513097.tif 000002
【特許請求の範囲】
【請求項１】
機能生体共鳴医療用の電子装置であって、互いに絶縁された少なくとも２つの同一の独立したチャネルを備え、前記チャネルの１つは、マイクロプロセッサ（ＭＰ１）から受け取ったプログラミングコマンドに応じて、正弦波形、矩形波形、または三角波形、並びに可変周波数を有する電気信号を提供できる発生器モジュール（Ｍ２）を備え、さらに、前記発生器モジュール（Ｍ２）によって発生された前記信号を受け取って、終段増幅回路（Ｍ４）に前記信号を送出する前置増幅回路（Ｍ３）であって、利得が前記同じマイクロプロセッサ（ＭＰ１）によってデジタル処理で制御される前置増幅回路（Ｍ３）と、前記マイクロプロセッサ（ＭＰ１）のコマンドによって選択された外部回路の１つへの前記終段回路（Ｍ４）の増幅出力の直接結合または逆結合を提供する、出力回路のスイッチングモジュール（Ａ４）と、単一のＰＣ／ラップトップを使用して前記２つの独立したチャネルに命令し前記チャネル間の前記ガルバニック絶縁を維持することを可能にするガルバニック絶縁モジュール（Ａ３）であって、コマンドケーブル（ＵＳＢ１）と（ＵＳＢ２）の間の、当技術分野で公知のガルバニック絶縁モジュール（Ａ３）と、前記２つのチャネル、人体の場合には、チャネル１の右手‐左手または右手‐左足または右手‐右足と、チャネル２の左手‐右足または左手‐左足または右足‐左足とから成ることができる外部回路の１つにと前記終段増幅回路（Ｍ４）によって発生される信号を外部回路（Ｏ１〜Ｏ４）の１つに供給する、前記装置と前記外部回路の間の４つの接続回路とに、ガルバニック絶縁された別個の安定化電源電圧を提供する電源モジュール（Ａ１）と、特別設計のソフトウェアを用いてコマンドを提供するマイクロプロセッサ（ＭＰ１）を備え、前記のマイクロプロセッサ（ＭＰ１）により提供されるコマンドは、前記周波数合成モジュール（Ｍ２）の限度内の波形及び周波数を有する電気信号を発生するためのコマンド、前記終段増幅回路（Ｍ４）によって発生される前記信号の利得または利得を選択するためのコマンド、前記外部回路への前記増幅信号の結合を反転するためのコマンド、前記回路における前記信号の出力電圧および電流値を読み取るためのコマンド、および、事前選択された電圧レベルを提供するデジタル／アナログ変換器（Ｍ７）を設定して、前記事前選択された値に近い出力電流／インピーダンス値の読み取りを可能にするためのコマンドであり、前記同じマイクロプロセッサ（ＭＰ１）が（ＵＳＢ１）接続を介して前記ＰＣまたはラップトップに接続されるものであり、手順、機能及び処理をもたらすデータベース及びソフトウェアであることを特徴とする、電子装置。
【請求項２】
請求項１に記載の装置の使用方法であって、それぞれ手順、機能または処理のプログラミングおよび自動生成を提供するステップを含み、前記手順は、プログラムされるパラメータ、すなわち、正弦波形、矩形波形、または三角波形、周波数、周波数変動の段階および率、利得値、前記外部回路への信号結合のオン時間およびオフ時間、結合期間中の選択された利得に対する正および負の（百分率）調整限度、出力の直接結合または逆結合、使用可能なものからの前記外部回路の選択、前記出力回路における電圧値および電流値の読み取り、電流／周波数値またはインピーダンス／周波数値および電流／周波数プロットまたはインピーダンス／周波数プロットのリアルタイム表示を生成することから成っており、前記機能は、選択された順序で自動的に実行されるように選択される前記複雑な手順のシーケンスを含んでおり、選択された前記外部回路における電流またはインピーダンスと周波数との関係を示すプロットを作成するために、または、選択された寄生虫、バクテリア、ウィルス、またはその他の微生物の駆除を含むことができる処置を生成するために、文献のデータまたは当業者の経験に従って、前記機能および前記手順のシーケンスが利用される装置の使用方法。
【請求項３】
２つの選択された限度の間の周波数掃引中に、電圧および電流の平均値がそれぞれ、前記外部回路において測定されるか、または事前に選択された値からのこれらの偏差が、選択された期間中に測定される瞬時値を用いて求められ、形成された周波数の各値、および電流／周波数またはインピーダンス／周波数のプロットが表示され、そして、正のピークの存在が、エネルギー吸収、１以上の活発な微生物の存在の指標であり、負のピークの存在が、１以上の不活発な微生物または毒素の存在の指標であることを特徴とする、請求項１に記載の装置の使用方法。
【請求項４】
請求項１に記載の装置の使用方法であって、前記装置は、ＰＣまたはラップトップであり得る外部補助装置上での手順、機能、または処置のオフラインプログラミングを提供すると共に、本発明による装置の所有者間でインターネットを介して専用のインポート‐エクスポート機構を用いて、あるいは技術文献または既存の電流／インピーダンス‐周波数のプロット、病人に適用した処置または１人より多い病人に適用した特定の処置から得られた結果を用いて、当業者が共有できる個人的経験を反映する共通データベースを生成するものであり、そして、前記装置は、各手順および機能に対応するパラメータを、ＵＳＢ接続を用いてマイクロプロセッサに転送することを可能にし、該マイクロプロセッサは、前記パラメータを保存し、信号が加えられる選択された外部回路における形成された周波数値および電流のリアルタイム読み取りとともに、プログラムされた種類の信号をオンラインで発生し得るものであることを特徴とする、装置の使用方法。
【請求項５】
請求項１に記載の装置の使用方法であって、電流‐周波数のプロットまたはインピーダンス‐周波数のプロットプロセスの走査および生成に２入力差動増幅器が用いられ、前記第１入力が、選択された外部回路において発生される電流の瞬時値と比例し、前記第２入力が、同じマイクロプロセッサＭＰ１によって制御されるデジタル／アナログ変換器（ＤＡＣ）によって発生される信号を受け取り、電流の実際の値の測定時にゼロ値を有するか、あるいは掃引範囲の始めに周波数を有する電気信号に対して測定された電流の平均値の最大１００％までの値を有することができ、次に、掃引プロセス中に、前記マイクロプロセッサによって事前に選択され、ＤＡＣによって形成される値に近いこの電流の変動を測定することを特徴とする、装置の使用方法。
【請求項６】
請求項１に記載の装置の使用方法であって、プログラム、または前記装置の端末の任意の可能な組み合わせの手動選択によって選択できる出力回路への直接結合または逆結合を提供するように、独立したガルバニック絶縁されたチャネルの出力がプログラムされるか手動で選択されるものであり、選択コマンドが、手順、機能、または処置のプログラミングフィールドに含まれ、且つ前記同じマイクロプロセッサＭＰ１によって自動的に生成されることを特徴とする、装置の使用方法。
【請求項７】
請求項１に記載の装置の使用方法であって、電圧、電流、および周波数の、選択可能な期間に亘る瞬時値または平均値の読み取りを用いて電流／周波数プロットまたはインピーダンス／周波数プロットが、生成されるものであり、前記プロットは、グラフィックデータベースに保存することができ、表示、印刷、または解析のためのインターネットを利用したエクスポートが可能であり、ここで、「ＺＯＯＭ  ＩＮ」コマンドを用いて、走査プロセスの掃引限度内の選択可能な周波数限度間で前記プロットを詳細に表示することができ、前記プロットに微生物および選択された周波数範囲内の前記微生物の共鳴周波数のリストを追加することができ、前記リストは、「プロットグラフ」操作モードに属するデータベースに保存されるものであることを特徴とする、装置の使用方法。
【請求項８】
全結合期間に、寄生虫／バクテリアを駆除するための手順では、選択された出力回路に加えられる信号の、初期値から最終値の間で線形に増加する振幅を使用し、前記回路は、インビトロ検査回路であり得ることを特徴とする、請求項１に記載の装置の使用方法。
【請求項９】
全結合期間に、ウィルスを駆除するための手順では、選択された出力回路に加えられる信号の、初期値から最終値の間で線形に減少する振幅が用いられ、前記回路がインビトロ検査回路であり得ることを特徴とする、請求項１に記載の装置の使用方法。
【請求項１０】
全結合期間に、選択された出力回路における菌類／うどん粉菌／毒素を駆除する手順で一定の値の電流が用いられることを特徴とする、請求項１に記載の装置の使用方法。
【請求項１１】
請求項１に記載の装置の使用方法であって、単純な手順の際自動停止オプションが用いられるものであり、該自動停止オプションは、作動させることもさせないことも可能であり、単純な手順を停止し、または、機能または処置内の次の単純な手順にジャンプすることを可能にするものであり、選択された外部回路における電流勾配の実際の値が、事前に選択された回数の読み取りにわたって平均された電流の即座の値を使用して計算され、そしてこの値は、実際の勾配の値が選択値よりも小さいか、比較の数は、予め選択した値よりも大きいかどうか、現在の手順の選択した自動停止コマンド値と比較されることを特徴とする、装置の使用方法。
【発明の詳細な説明】
【技術分野】
【０００１】
本発明は、生体共鳴機能医療における装置およびその使用方法に関する。
【背景技術】
【０００２】
寄生虫、バクテリア、菌類、またはウィルスを駆除すべく、さらに体内の腺および臓器へエネルギーを供給すべく、共振周波数および波形を生成するように構成された特別設計の装置が、当技術分野で公知である。これらの装置の一部は、体中で２つの選択された周波数限度を自動的に掃引し、体内で検出された寄生虫、バクテリア、菌類、およびウィルスのリストを表示することができる。
【０００３】
選択された寄生虫、菌類、またはウィルスを破壊する振幅および周波数を個別に発生し、次回の掃引で、上記の寄生虫／バクテリア／菌類／ウィルスがまだ存在するのか、あるいは駆除されているのかが判定され、この手順が、検出リストの各要素について適用されるように設計・構成された、その他の装置が公知である。
【０００４】
その他に、２，０００〜４０，０００Ｈｚの周波数を有し、７分間印加し２０分間休止するというサイクルが３回繰り返される矩形信号を発生するＺＡＰＰＥＲと呼ばれる単純な装置も公知である。
【０００５】
現在までに製造された装置の大半は、Ｈｕｌｄａ  Ｃｌａｒｋ博士が『Ｃｕｒｅ  ｏｆ  Ａｌｌ  Ｄｉｓｅａｓｅｓ』など彼女の著書で公開している研究に従って設計されている。
【０００６】
これらの装置の欠点は次のとおりである。
【０００７】
‐  ＺＡＰＰＥＲタイプの装置は、装置の特性および操作に関する知識を有する個人が手動で使用するように設計されている。しかし、このような個人は、専門文献または医療スタッフが推奨する特別な種類の治療や、特定の事例に固有である一連の治療で必要とされる複雑な機能を生成することができない。
【０００８】
‐  その他の種類の装置は、非常に高い費用がかかるため、非常に裕福な人しか受けることができない特別な医療でのみ使用できる。
【０００９】
‐  この種の装置を用いた特定の治療では、患者に関する大量の情報が手順において必要とされるが、この情報は客観的に得ることができない可能性があることに注意することが重要である。
【００１０】
‐  患者が、治療の有効性に関して手順を自分自身で管理できない。
【発明の開示】
【発明が解決しようとする課題】
【００１１】
本発明が取り組む技術的な問題は、単一の治療または組み合わされた治療に対応する機能（複雑な手順）のシーケンスを自動的に生成し、類似するまたは異なる複雑な手順を達成できるようにする、装置およびこの装置を使用する方法を提供することである。
【課題を解決するための手段】
【００１２】
本発明による装置は、互いに電気的に絶縁された２つの独立した同一チャネルを備えており、１つのチャネルは、マイクロプロセッサから受信したコマンドに従って、正弦波形、矩形波形、または三角波形、および可変周波数を有する電気信号を出力できるＤＤＳ（直接デジタル合成）発生器モジュールを備え、さらに、この信号をＤＤＳモジュールから終段増幅器に送る前置増幅回路であって、前記信号の利得が同じマイクロプロセッサによってデジタル制御される前置増幅回路と、マイクロプロセッサのコマンドによって選択された外部回路の１つへの、終段増幅器によって増幅された出力信号の直接結合または逆結合を提供する、出力回路に対するスイッチングモジュールと、コマンドケーブルＵＳＢ１およびＵＳＢ２をガルバニック絶縁し、１台のＰＣ／ラップトップを使用して２つの独立したチャネルに命令し、これらのチャネル間のガルバニック絶縁を維持することを可能にする回路と、２つのチャネルと、人体の場合には、チャネル１の右手‐左手または右手‐左足または右手‐右足と、チャネル２の左手‐右足または左手‐左足または右足‐左足とから成ることができる外部回路の１つに、発生された信号を結合する、装置と外部回路の間の４つの接続回路とにガルバニック絶縁された別個の電源を提供する安定化電源モジュールと、特別設計のソフトウェアを用いてコマンドを生成するマイクロプロセッサを備え、前記コマンドは、ＤＤＳ周波数合成モジュールの許容限度内の形状および周波数を有する電気信号を発生するためのコマンド、信号増幅器に対する利得選択コマンド、外部回路への増幅信号の逆結合のためのコマンド、この回路における電流の強さを読み取るためのコマンド、および、差動電子増幅器とともに、事前に選択された電圧値に近い出力電流値の読み取りを可能にする、事前に選択された電圧を出力するデジタル／アナログ変換器に対する設定コマンドである。これと同じマイクロプロセッサがＵＳＢリンクによって、データベースを管理し、手順、機能、または治療を生成するソフトウェアを実行するパソコンまたはラップトップに接続されている。
【００１３】
本発明による装置の使用方法によって、手順、機能（複雑な手順）、または治療をそれぞれプログラムし自動的に生成することが可能になる。手順は、波形、周波数、周波数掃引範囲、周波数変動の段階および率、最終利得のデジタル値、オン時間およびオフ時間、合計結合時間、選択された外部回路、結合期間中の選択された利得に対する正および負の（百分率）調整限度、この回路への接続の直接結合または逆結合などを選択することから成る。機能（複雑な手順）は、手順のシーケンスと、各手順および出力回路における電流値の読み取りの繰り返し回数を表す。機能および手順のシーケンスを用いて、選択された寄生虫、バクテリア、菌類、またはウィルスの駆除、それに続く、寄生虫、バクテリア、菌類、またはウィルスの存在の影響を受ける臓器のエネルギー供給、および人体にこれらが存在することを共鳴検出するための機能である駆除チェック手順を含む治療が生成される。
【００１４】
この装置およびこの装置を使用する方法の狙いとするところは、ダイエットの質について、または装置によって検出される微生物が体内に存在することについて、医師の専門的な支援を依頼する必要があるかどうか、次に、自動的な治療を前提として、有資格の専門家の助言を採り入れる必要があるかどうか、あるいは専門医師に直接相談する必要があるかどうかを判定するために必要な情報を使用者に提供することである。使用者と専門医療スタッフの間のコミュニケーションは、インターネット基盤を利用した長距離通信に依存する。使用者／患者は、個人的な共鳴検査を実施して得られたダイアグラムを医師／病院に自動的に送信することができる。医師／専門家は、インターネットを介してエクスポート手順を用いて患者に返信できるオーダーメイド治療を構築することができる。患者は自分のデータベースにこの治療をインポートし、それを自動的に適用することができる。その後、個人的な検査を繰り返し、必要に応じて、選択された医師と遠隔対話を行うことができる。
【００１５】
本発明による装置によって提供される共鳴プロセスを用いれば、選択された回路に沿って微生物の有無を判定することができることに注目するのは重要である。この回路は、例えば右手‐左手または右手‐左足または右手‐右足または左手‐右足または左手‐左足または右足‐左足のような人体回路のいずれかを含み得る。
【００１６】
上記の回路のいずれかにおける検出を行った後、人体内で存在が検出された微生物を駆除する手順を、当業者によって設定された順序で選択することができる。複雑な手順を同時に遂行することができる、電気的に絶縁された２つの回路の存在によって、患者に実際の利益がもたらされる。
【００１７】
回路が人体に含まれているか、食物検査回路またはそれに相当する回路である場合、微生物駆除の検査は、選択された外部回路に沿って特定種類の微生物の有無の検出を可能にするＡＵＴＯＴＥＳＴ手順を用いて実施することができる。
【００１８】
本発明は以下の利点を有している。
【００１９】
‐  本発明による装置および方法によって、技術文献または専門医療スタッフによって定められた、単一の治療または組み合わされた治療に対応する機能のシーケンス（複雑な手順）を自動的に生成することが可能になる。さらに、互いに電気的に絶縁された、独立してプログラム可能な２つの同一チャネルを同時にまたは別個に使用することによって、同じまたは異なる複雑な手順を、同じ患者または２人の異なる患者に適用される外部回路に対して、あるいは各種の栄養検査または技術検査に対応する検査回路に対して実行することが可能になる。
【００２０】
‐  本発明による手順および方法は、食物および水などにおける様々な金属、物質、微生物を共鳴によって検出する、産業または栄養の分野の手順で使用することができる。電気回路若しくは電子回路内の電磁共鳴現象の検出、または動物体若しくは人体内の様々な微生物の検出を必要に応じて利用し、当業者が推奨する手順を用いてこれらの微生物を破壊することができる。
【００２１】
‐  その他の技術分野において、本発明は、その他の産業上の利用に特化した機能生成器の役割を果たすことができる。
【発明を実施するための最良の形態】
【００２２】
以下、図１〜図１９に関連して本発明の実施形態を説明する。
【００２３】
本発明による装置および装置の使用方法は、その波形、振幅、周波数、変調、および継続期間をプログラムすることができる電気信号を発生する。これらの信号は、機能医学の基準で定められている資格を有する医療関係者が推奨する治療または所定の治療によって課せられる、単一の複雑な機能または同じ複雑さを有する機能のシーケンスとして発生され得る。
【００２４】
この電子装置は信号を発生し、外部回路で発生された電流の値を測定し、適用された設定に従って、プログラムされたパラメータおよびリアルタイムで測定されたパラメータを表示する。
【００２５】
本発明による装置を使用すれば、複雑な機能を自動的に生成することができる。これらの機能は、特定の臓器に局在する特定の寄生虫、バクテリア、菌類、またはウィルスを駆除するように設計された特定の治療に固有である、波形、振幅、複数の周波数、単一の周波数、周期、および振幅変調を形成することを電子装置に命令する。これに続いて、上記の寄生虫、バクテリア、菌類、またはウィルスの存在の影響を受ける臓器および腺にエネルギーを供給する特定の手順を実施するか、あるいは各種の寄生虫（幼虫または卵）を人体から駆除することを可能にする複雑な機能のシーケンスを発生することを命令する。バクテリア、菌類、およびウィルスは、専門医療関係者が推奨するリストに記載されているか、あるいは共鳴方法を用いて電子装置によって検出される。
【００２６】
本発明による装置のブロック図を図１に示している。ここで、Ａ１は、電源スイッチを介して２３０Ｖ／５０Ｈｚまたは１２０Ｖ／６０Ｈｚを受け取って、互いに絶縁された、全出力が３０ＶＡの＋１２Ｖ／−１２Ｖ／＋５Ｖの２つの同一出力電圧セットを供給する電源モジュールである。これらの電圧セットが、電子モジュールＡ２に属する２つの同一チャネルに独立して供給される。この電子モジュールは、互いに絶縁された２つの同一チャネルを備えている。各チャネルは、最小０．１Ｈｚ刻みで増加する１Ｈｚ〜１０ＭＨｚの周波数を有する正弦波電気信号、矩形電気信号、または三角電気信号を出力する電気信号発生器である。この電気信号は前置増幅され、デジタル制御される利得を有する電力増幅器に供給される。電気信号発生器は、選択可能な最大振幅が１２Ｖｐｐ（頂点間）の電気信号を出力することができる。次に、この電気信号が、モジュールＡ４によって選択される、チャネル１のペアＯ１‐Ｏ２またはＯ１‐Ｏ３またはＯ１‐Ｏ４、およびチャネル２のＯ２‐Ｏ３またはＯ２‐Ｏ４またはＯ３‐Ｏ４のいずれかにそれぞれ直接結合または逆結合される。５００オームの抵抗器がこれらのチャネルの出力回路に設けられており、出力が短絡したときに２４ｍＡｐｐ（頂点間）の最大値を有する、出力回路における電流を測定する。使用される構成部品はすべて、１Ｈｚ〜１０ＭＨｚの周波数領域で制限なく動作する必要がある。電子モジュールＡ２は、共通の接地および＋５Ｖの電源におけるガルバニック接続をもたらし、次に互いに絶縁されていると推定される２つの回路間の直接結合をもたらす、２つのケーブルＵＳＢ１およびＵＳＢ２を用いて同じＰC／ラップトップによって制御される。これが、ＵＳＢ２出力と電子モジュールの間で絶縁モジュール、つまりＡ３を使用する理由である。この絶縁モジュールは、当技術分野で公知のＵＳＢ絶縁体であり、ＰＣ／ラップトップとのＵＳＢ２通信を電子モジュールＡ２から電気的に切り離す。
【００２７】
独立して発生され互いに絶縁された２つの電気信号が、右手、左手、右足、および左足に外部から接続された接続Ｏ１〜Ｏ４を用いてスイッチングモジュールＡ４によって、人体内に設けられた６つの外部回路、すなわち、それぞれが直接連結または逆連結され得るＯ１‐Ｏ２、Ｏ１‐Ｏ３、Ｏ１‐Ｏ４、Ｏ２‐Ｏ３、Ｏ２‐Ｏ４、およびＯ３‐Ｏ４に送信される。
【００２８】
これらと同じ回路を用いて、電子装置または実験室試料を検査することができる。図２によれば、整流器ブリッジＰＲおよびＬＭ２５７５型の３つの電力スイッチングレギュレータＵ１、Ｕ２、およびＵ３とともに、電源変圧器ＴＲの２つの１５Ｖ二次コイルによって独立して発生される＋１２Ｖ／−１２Ｖ／＋５ＶのＤＣ安定化電圧が、各チャネルに供給される。電力スイッチングレギュレータは最大電流１Ａで＋１２Ｖｃｃ、−１２Ｖｃｃ、および＋５Ｖｃｃの電圧を出力し、チャネル１用の電源モジュールＭＡＧ１と、このモジュールと同一であるが、電気的に絶縁されている、チャネル２用のモジュールＭＡＧ２を形成する。
【００２９】
電解コンデンサＣ１は公称電圧５０Ｖｃｃにおいて１０００マイクロファラッドの値を有しており、電解コンデンサＣ２、Ｃ３、およびＣ４は同一であり、公称電圧１５Ｖｃｃにおいて１００マイクロファラッドの値を有している。
【００３０】
インダクタンスＬ１、Ｌ２、おおびＬ３は同一であり、２２０マイクロヘンリー／１Ａである。
【００３１】
ショットキーダイオードＤ１、Ｄ２、およびＤ３は、公称値１Ａ／２５Ｖｃｃを有している。抵抗器Ｒ１、Ｒ２、およびＲ３は同一であり、１０キロオームの値を有している。抵抗器Ｒ４、Ｒ５、およびＲ６は可変抵抗器であり、２５キロオームの値を有している。これらのスイッチングレギュレータの機能は当技術分野で公知であり、文献に記載されている。
【００３２】
図３は、Ａ２電子モジュールのチャネル１のブロック図を示している。ここで、固定周波数水晶安定化信号発生器である回路Ｍ１が、出力Ｅにおいて、例えば２４ＭＨｚの基準信号を発生する。この基準信号は、例えば米国のＡｎａｌｏｇ  Ｄｅｖｉｃｅｓ社が製造しているＤＤＳ回路ＡＤ９８３３などのデジタル周波数合成回路Ｍ２に送られる。この回路は、マイクロプロセッサＭＰ１によって入力Ｂに送信されるプログラミング値によって制御される、最低０．１Ｈｚ刻みで増分される例えば１Ｈｚ〜１０Ｈｚの可変周波数を有する正弦波信号、矩形信号、または三角信号を出力Ｆにおいて供給する。この信号は、この周波数範囲で正常に動作でき、出力Ｇにおいて集積終段増幅器Ｍ４の入力に接続される前置増幅器集積回路Ｍ３に加えられる。終段増幅器の利得は、入力ＣにおいてマイクロプロセッサＭＰ１によってデジタルプログラムされる。増幅器Ｍ４の出力Ｉ１は、外部回路Ｏ１‐Ｏ２またはＯ１‐Ｏ３またはＯ１‐Ｏ４および、５００オームの値を有する抵抗器ＲＣによって閉じられる。抵抗器ＲＣの両端の電圧（ＲＣを流れる電流に正比例する）が、出力回路によって発生される電流（ｍＡ）の値に比例するＤＣ電圧を出力Ｉ２において出力する増幅器／整流器回路Ｍ５に印加される。回路Ｍ６は、出力Ｉ５においてデジタル／アナログ変換器Ｍ７によって発生されるＤＣ電圧と出力電流の差の平均値に比例するＤＣ電圧を出力Ｉ３において供給する差動／積分増幅器である。この差は、アナログ／デジタル変換器Ｍ８によって読み取られ、入力１４においてマイクロプロセッサＭＰ１に送られる。
【００３３】
マイクロプロセッサＭＰ１は回路Ｍ２、Ｍ４、およびＭ７に対するプログラミングコマンドを出力Ａ、Ｂ、Ｃに提供し、モジュールＡ４／１に対するスイッチングコマンドを出力Ｄ１〜Ｄ４に提供する。ＬＥＤディスプレイＡＬは、電子モジュールＡ２のパネルに位置するＬＥＤに対するＯＮコマンドを、Ｏ１‐Ｏ２またはＯ１‐Ｏ３またはＯ１‐Ｏ４の外部回路選択に応じて、入力ＡＬ１〜ＡＬ３において受け取り、ＯＮコマンドを、ＤＩＲＥＣＴ／ＲＥＶＥＲＳＥ選択に応じて入力ＡＬ４〜ＡＬ５において受け取る。同じモジュールＡ２のチャネル２の構成はこれと全く同じである。
【００３４】
本発明による装置によって、正弦波形、矩形波形、または三角波形を有する固定周波数、２つの周波数限度間の掃引、およびプログラム可能な波形および値並びにプログラム可能なステップおよび継続期間を有する信号を発生することが可能になる。これらの信号は、回路Ｍ２によって固定利得で前置増幅され、集積回路Ｍ４によって増幅される。この集積回路の利得はデジタル制御される。この集積回路は、出力Ｏ１〜Ｏ４における電流を、事前にプログラムされた一定の値に自動的に維持したり、事前にプログラムされた機能に、出力電流の振幅変調を提供することができる。さらに、この装置は、プログラム可能な限度間で周波数を変えながら、回路Ｍ４の利得の値を一定に保つことができ、出力電流の変動を測定して、回路Ｏ１〜Ｏ４における可能な共鳴を求め、値をＰＣ／ラップトップのメモリーに記憶し、電流（ｍＡ）と周波数（Ｈｚ）の関係を示すプロットまたはインピーダンスと周波数の関係を示すプロットを表示することができる。
【００３５】
差動積分増幅器Ｍ６はデジタル／アナログ変換器Ｍ７およびマイクロプロセッサＭＰ１とともに、共鳴状態を検出する。この検出は、選択された周波数範囲の最初における瞬間電流値の最初の数百の読み取りから平均電流値を求め、この平均値の補正レベル（０〜１００％）を選択し（減算により）、この補正電圧を出力Ｉ５において発生することを回路Ｍ７に命令することによって実施される。次に、選択可能な期間（単位秒）で計算された平均電流値（補正された値または補正されない値）が、発生された周波数とともに保存されて、電流（マイクロアンペア）と周波数（Ｈｚ）の関係を示すプロットまたはインピーダンスと周波数の関係を示すプロットの表示に用いられるデータベースを構成する。終段増幅器Ｍ４の出力Ｉ１における電圧の平均値に比例する信号Ｉ７が、終段増幅器Ｍ４の出力Ｉ１から、分離積分回路を介して、マイクロプロセッサＭＰ１のアナログ／デジタル変換器入力に送られる。
【００３６】
図４は、チャネル１に対応するスイッチングモジュールＡ４／１の概略図である。このモジュールでは、モジュールＡ２のマイクロプロセッサＭＰ１（チャネル１）によって命令されるトランジスタＴ１〜Ｔ４によってリレーＲＬ１、ＲＬ２、ＲＬ３、ＲＬ４が切り替えられる。
【００３７】
モジュールＡ２のチャネル１で発生される電気信号が、ＲＬ１、ＲＬ２、ＲＬ３のリレー接点によって外部回路Ｏ１‐Ｏ２またはＯ１‐Ｏ３またはＯ１‐Ｏ４のいずれかに結合され、選択された回路がＬＤ１〜ＬＤ３のＬＥＤに光学的に表示される。チャネル１で発生された電気信号の直接結合または逆結合はリレーＲＬ４によって提供され、その状態はＬＤ４およびＬＤ５のＬＥＤによって表示される。同様に、チャネル２では、回路Ｏ２‐Ｏ３またはＯ２‐Ｏ４またはＯ３‐Ｏ４は、チャネル２に対応するリレー接点によって提供され、光学表示は、チャネル２に対応するＬＥＤによって提供され、直接結合または逆結合は、チャネル２に対応するリレーによって提供され、その状態は、同じチャネル２に対応する２つのＬＥＤによって表示される。
【００３８】
図９および図１０は、手順、機能、および治療をプログラムするための論理図を示している。
【００３９】
図５は、選択された外部回路における電流の変動勾配が、その回路における定電流の取得を決める最小限に達したときの、手順の自動停止オプション（ＡＵＴＯ  ＳＷＩＴＣＨ  ＯＦＦ）の論理図を示している。実際の勾配値はＲＶで表され、その計算は、読み取り回数Ｃｍａｘ（プログラム可能なパラメータ）だけ測定された瞬間電流の平均値に基づいており、選択される値はＳＶで表される。勾配の計算に用いられる式は次のとおりである。
【００４０】
ＲＶ＝｜Ｉ２−Ｉ１｜／Ｉ１＊１００（％）
【００４１】
この論理図では、カウンターＣが用いられる。このカウンターの値は１刻みでＣｍａｘまで増分され、この刻み幅は、手順の実施中に周波数変化率によって形成される。測定された電流の平均値はＩｍで表され、プログラミング変数Ｊは、読み取り順序に応じて１または２の値をとることができる。このため、電流の値Ｉ２は、電流の値Ｉ１の後に読み取られる。ＲＶ  ＜  ＳＶである場合、ＥＶＥＮＴＳで表される事象が生じ、事象の数ＥＶＥＮＴＳが所定の最大値ＥＶＥＮＴＳＭＡＸを上回ると、手順の自動停止条件が有効になる。
【００４２】
図６は、手順のプログラム／変更／読み取りを実施するためのグラフィカルインターフェイスを示している。このインターフェイスでは、新しい手順を生成するが、その際、まずその手順に名前を付け、次に、周波数限度、周波数ステップ、利得のデジタル値、選択された周波数の結合／減結合／保持時間（秒）／合計結合時間を設定し、続いて、選択された補正値および上記の条件における手順オプションの自動停止を設定する。その後、正弦波信号、矩形信号、または三角信号のタイプを選択する。この信号は、チャネル１の減結合（ヌル）またはＯ１‐Ｏ２またはＯ１‐Ｏ３またはＯ１‐Ｏ４、およびチャネル２のヌルまたはＯ３‐Ｏ４またはＯ２‐Ｏ３またはＯ２‐Ｏ４であり得る、選択された外部回路に直接結合はたは逆結合（選択された極性に応じて）される。所望のパラメータすべての選択が完了した後、ウィンドウ下部のＳａｖｅボタンを用いて、この手順を、選択した名前でデータベースに保存する。
【００４３】
データベースに既に存在する手順を使用する必要がある場合、ウィンドウ下部のボタンを用いて当該の手順の名前を選択する。選択した後で、この手順を変更（Ｕｐｄａｔｅ）または削除（Ｄｅｌｅｔｅ）したり、本発明による装置で個別に実行するために手順をロード（Ｌｏａｄ）することができる。このメニューを終了するには、ボタンＥｘｉｔを選択する。データベースに存在する簡単な手順のリストを表示するには、ボタンＳｈｏｗ  Ｌｉｓｔを使用する。
【００４４】
図７は、データベースに既に存在する、（単純な）手順のシーケンスとしてまたは複雑な手順のシーケンスとして構築されるＣｏｍｐｌｅｘ  Ｐｒｏｃｅｄｕｒｅ（Ｆｕｎｃｔｉｏｎ）のメニューを示している。ボタンＳｉｍｐｌｅｘ  Ｐｒｏｃｅｄｕｒｅで単純な手順の名前を選択し、Ａｄｄ  Ｓｉｍｐｌｅｘ  Ｐｒｏｃｅｄｕｒｅボタンを用いて新しい複雑な手順のリストに追加する。選択した手順の名前が右側のウィンドウに表示される。これと同様に、複雑な手順を選択することができる。エラーが発生した場合、Ｃｌｅａｒ  Ｌｉｓｔボタンを押すことが望ましい。選択操作が完了したら、Ｓａｖｅボタンを用いて複雑な手順を保存する。
【００４５】
データベースに存在する複雑な手順を使用する必要がある場合、当該の手順の名前を選択する。選択した後で、この手順を削除し、または、本発明による装置で使用するために手順をロードすることができる。
【００４６】
１つの複雑な手順または多数の複雑な手順を、シリアル製造番号（この例では２００５‐１１０‐０）で一意に識別される、本発明が適用される装置を使用する受信者にエクスポートする必要がある場合、ボタンＥｘｐｏｒｔを押し、表示されたリストから複雑な手順を順次選択し、Ａｄｄボタンを使用して、右側のウィンドウに表示されたリストに追加する。このリストをエクスポートする準備ができたら、Ｅｘｐｏｒｔボタンを押す。エクスポートされる手順のリストは、インターネットを使用して配信できるファイルの形式をとる。このファイルが受信された後、受信者は、表示されたメニューを使用して複雑な手順を自分のデータベースにインポートすることができる。インポートされたこれらの手順は、エクスポートプロセス中に用いられたシリアル製造番号を有する、本発明による装置でのみ機能することに注意することが重要である。
【００４７】
図８は、単純な手順および複雑な手順を含み、装置の両チャネルを同時に使用できる治療をプログラムするためのグラフィカルインターフェイスを示している。このインターフェイスの操作は、複雑な機能の場合と同じである。
【００４８】
図９および図１０は、手順、機能、および治療をプログラムするための論理図を示している。
【００４９】
図１１は、６つの外部回路すべての周波数応答を自動的且つ連続的に求め、各プロットを所定の場所に保存するためのモデルを示している。このモデルは、治療の生成に相当する。但し、違いは、プロットが自動的且つ連続的に求められ、インターネットを用いて任意のエクスポート先にエクスポートできる所定の場所に保存されることと、受信者が本発明による装置を所有していなくてもよいことである。
【００５０】
図１２は、人体の右手‐左手回路のＴＥＳＴ12という名前の実際のプロットを示している。このプロットを解析すると、測定された平均レベルをはるかに上回る電流を吸収する大量の微生物が、特定の周波数、例えば４００．０００Ｈｚ〜４５０．０００Ｈｚにおいて存在することがわかる。
【００５１】
詳細に表示するには、表示されたプロット内で所望の周波数範囲、例えば４００．０００Ｈｚ〜４５０．０００Ｈｚを選択し、次にボタン「Ｚｏｏｍ  Ｉｎ」を押す。これにより、２つの限度間の電流値のみ表示される。
【００５２】
図１３は、所望の周波数範囲において、選択された外部回路で単純な走査手順を生成するための論理図を示している。当該の走査手順では、低レベルの振幅が用いられ、この走査手順が正弦波信号および三角信号を用いて繰り返されることに注意されたい。この種の手順はＡｕｔｏｔｅｓｔと呼ばれる。
【００５３】
図１４は、Ｈｕｌｄａ  Ｃｌａｒｋ博士の著作『The Cure of All Diseases』に記載されている、３９８．０００Ｈｚ〜４０２．０００Ｈｚの共鳴周波数を有する寄生虫ストロンギロイデスが侵入した人体の右手‐左手回路における当該の走査手順の実際の結果を示している。生成されたプロットは、この周波数範囲における強い共鳴応答を示している。この検査で用いられた本発明による装置は、各プロットに対応して、そのデータベースに、Ｈｕｌｄａ  Ｃｌａｒｋ博士の著作で公開されているリストを保存している。このリストには、微生物の名前、その種類、および対応する周波数範囲が含まれている。本発明による装置では、「Ｆｉｎｄ」ボタンを押すと、「Ｆｒｏｍ」フィールドおよび「Ｔｏ」フィールドで選択した周波数限度間の共鳴周波数を有する微生物のリストを下部ウィンドウに表示することができる。各プロットに対応するデータベースに入力するには、「Ｅｄｉｔ」ボタンを押し、次に図１５に示したガイドラインに従う。
【００５４】
図１５は、共鳴プロット決定の手順で用いられるデータベースに入力するためのグラフィカルインターフェイスを示している。この手順の適用を他のフィールドにも拡張することができる。この場合、対応するリストには、その適用に固有の他の名前および周波数範囲が含まれる。
【００５５】
図１６は、上記文献のデータを用いて、以前に走査された外部回路で存在が検出された寄生虫またはバクテリアを駆除する複雑な手順をプログラムするための論理図を示している。この手順は、著者が自分の身体に対して使用することに成功したものである。
【００５６】
同様に、図１７および図１８は、走査結果および上記文献のデータに従って、人体に存在するウィルス、および菌類または酵母菌を駆除する複雑な手順をプログラムするための論理図を示している。これらの手順も、著者が自分の身体に対して使用することに成功したものである。この種の治療を実施した後、走査を繰り返して、図１４に示した種類の共鳴が消滅したことが確認されたことに注意することが望ましい。
【００５７】
図１９は、遠隔治療ネットワークにおける、本発明による装置および方法の潜在的使用を示すブロック図である。本発明による装置の２人の所有者が、診断手順と治療手順の両方を遠隔から使用することができる。治療の受信者は患者であり、送信者は生体共鳴機能医学を専門とする医師である。
【００５８】
このブロック図によれば、各使用者は、本発明による装置、ラップトップ、およびプリンタを有しており、また、地理的な場所または国籍に関係なく患者と医師の間のデータ交換を可能し、治療プロセスのリアルタイムな利益をもたらすインターネット接続も有している。
【図面の簡単な説明】
【００５９】
【図１】電子装置のブロック図である。
【図２】電源モジュールの概略図である。
【図３】電子信号発生モジュールのチャネルの１つのブロック図である。
【図４】スイッチングモジュールの概略図である。
【図５】選択された外部回路（チャネル１または２）における電流値勾配を求める方法を示している。
【図６】手順をプログラムするためのグラフィカルインターフェイスを示している。
【図７】機能をプログラムするためのグラフィカルインターフェイスを示している。
【図８】治療をプログラムするためのグラフィカルインターフェイスを示している。
【図９】手順をプログラムする方法を示している。
【図１０】機能（複雑な手順）および治療をプログラムする方法を示している。
【図１１】チャネル１の外部回路Ｏ１‐Ｏ２およびＯ１‐Ｏ３およびＯ１‐Ｏ４、並びにチャネル２の外部回路Ｏ３‐Ｏ４およびＯ２‐Ｏ３およびＯ２‐Ｏ４における周波数応答を自動的且つ連続的に測定する機能をプログラムする方法を示している。
【図１２】選択された外部チャネルの一方、すなわちチャネル１に沿って過剰な量の微生物を有する人体の右手‐左手における実際の周波数応答の例をグラフで示している。
【図１３】選択された外部回路（チャネル１または２）の一方における寄生虫またはウィルスまたは菌類／うどん粉菌の周波数応答を測定する機能をプログラムする方法を示している。
【図１４】チャネル１における寄生虫ストロンギロイデスが侵入した人体の外部回路右手‐左手の実際の周波数応答の例をグラフで示している。
【図１５】微生物およびその共鳴周波数のデータベースに入力するためのグラフィカルインターフェイスを示している。
【図１６】寄生虫／バクテリアを駆除するための機能（複雑な手順）プログラミングの治療の方法を示している。
【図１７】ウィルスを駆除するための機能（複雑な手順）プログラミングの治療の方法を示している。
【図１８】菌類／うどん粉菌を駆除するための機能（複雑な手順）プログラミングの治療の方法を示している。
【図１９】遠隔医療ネットワークにおける通信／使用を示すブロック図である。
【図１】
2008513097.tif 000003
【図２】
2008513097.tif 000004
【図３】
2008513097.tif 000005
【図４】
2008513097.tif 000006
【図５】
2008513097.tif 000007
【図６】
2008513097.tif 000008
【図７】
2008513097.tif 000009
【図８】
2008513097.tif 000010
【図９】
2008513097.tif 000011
【図１０】
2008513097.tif 000012
【図１１】
2008513097.tif 000013
【図１２】
2008513097.tif 000014
【図１３】
2008513097.tif 000015
【図１４】
2008513097.tif 000016
【図１５】
2008513097.tif 000017
【図１６】
2008513097.tif 000018
【図１７】
2008513097.tif 000019
【図１８】
2008513097.tif 000020
【図１９】
2008513097.tif 000021
【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【特許請求の範囲】
【請求項１】
機能共鳴用の電子装置であって、互いに絶縁された少なくとも２つの同一の独立したチャネルを備え、前記チャネルの１つは、マイクロプロセッサ（ＭＰ１）から受け取ったプログラミングコマンドに応じて、正弦波形、矩形波形、または三角波形、並びに可変周波数および位相を有する電気信号を提供できる発生器モジュール（Ｍ２）を備え、さらに、前記発生器モジュール（Ｍ２）によって発生された前記信号を受け取って、終段増幅回路（Ｍ４）に前記信号を送出する前置増幅回路（Ｍ３）であって、利得およびそのランプが前記同じマイクロプロセッサ（ＭＰ１）によってデジタル処理で制御される前置増幅回路（Ｍ３）と、前記マイクロプロセッサ（ＭＰ１）のコマンドによって選択された外部回路の１つへの前記終段回路（Ｍ４）の増幅出力の直接結合または逆結合を提供する、出力回路のスイッチングモジュール（Ａ４）と、単一のＰＣ／ラップトップを使用して前記２つの独立したチャネルに命令し前記チャネル間の前記ガルバニック絶縁を維持することを可能にするガルバニック絶縁モジュール（Ａ３）であって、コマンドケーブル（ＵＳＢ１）と（ＵＳＢ２）の間の、当技術分野で公知のガルバニック絶縁モジュール（Ａ３）と、前記２つのチャネルと前記終段増幅回路（Ｍ４）によって発生される信号を外部回路（Ｏ１〜Ｏ４）の１つに供給する、前記装置と前記外部回路の間の４つの接続回路とに、ガルバニック絶縁された別個の安定化電源電圧を提供する電源モジュール（Ａ１）と、特別設計のソフトウェアを用いてコマンドを提供するマイクロプロセッサ（ＭＰ１）を備え、前記のマイクロプロセッサ（ＭＰ１）により提供されるコマンドは、前記周波数合成モジュール（Ｍ２）の限度内の波形、増加／減少する周波数、および位相を有する正のオフセットの電気信号を発生するためのコマンド、前記終段増幅回路（Ｍ４）によって発生される前記信号の固定利得または正／負のランプ利得を選択するためのコマンド、前記外部回路への前記増幅信号の結合を反転するためのコマンド、選択された生成／非生成期間の持続時間に対するコマンド、前記回路における前記信号の出力電圧および電流値を読み取るためのコマンド、および、事前選択された電圧レベルを提供するデジタル／アナログ変換器（Ｍ７）を設定して、前記事前選択された値に近い出力電流／インピーダンス値の読み取りを可能にするためのコマンドであり、当該の構成によって、前記装置の出力に接続される、チャネル１の任意の選択された外部回路Ｏ１‐Ｏ２またはＯ１‐Ｏ３またはＯ１‐Ｏ４、およびチャネル２のＯ３‐Ｏ４またはＯ２‐Ｏ３またはＯ２‐Ｏ４における電流‐周波数またはインピーダンス‐周波数応答を、複雑な手順または機能によって自動的に求めるための専用装置が規定されるものであり、前記周波数応答は、前記各チャネルに接続された前記各外部回路について順次実行して得ることも、任意の周波数領域、信号の種類、および振幅について２つずつ同時に実行して得ることもでき、任意の前記周波数応答は、ＰＣ／ラップトップに存在する専用データベースに自動的に記憶されるものであり、そして、また、ローカルデータベースからローカルに生成されるか、あるいは事前に受け入れられた要求に基づいて選択された送信機からインポートされたプリプログラミングされた単純な手順、複雑な手順、または機能の中に存在する適切なコマンドを受信するために、また、前記ＰＣ／ラップトップに、前記選択された検査中の外部回路内に存在する電圧および電流の測定値を伝送するために、前記同じマイクロプロセッサ（ＭＰ１）が（ＵＳＢ１）接続を介して前記ＰＣまたはラップトップに接続されるものであり、ここで、所望の周波数応答プロセスを得るために前記コマンドがすべて同期化されることを特徴とする、電子装置。
【請求項２】
請求項１に記載の装置の使用方法であって、それぞれ単純な手順、複雑な手順、または機能のプログラミングおよび自動生成を提供するステップを含み、前記単純な手順は、プログラムされるパラメータ、すなわち、正弦波形、矩形波形、または三角波形、周波数、位相、周波数変動の段階および率、利得値、利得ランプ、前記外部回路への信号結合のオン時間およびオフ時間、結合期間中の選択された利得に対する正および負の（百分率）調整限度、出力の直接結合または逆結合、使用可能なものからの前記外部回路の選択、前記出力回路における電圧値および電流値の読み取り、電流／周波数値またはインピーダンス／周波数値および電流／周波数プロットまたはインピーダンス／周波数プロットのリアルタイム表示を生成することから成っており、前記機能は、選択された順序で自動的に実行されるように選択される前記複雑な手順のシーケンスを含んでおり、選択された前記外部回路における電流またはインピーダンスと周波数との関係を示すプロットを作成するために、または、選択された前記外部回路内の選択された寄生虫、バクテリア、ウィルス、またはその他の微生物の駆除を含むことができる専用手順を生成するために、文献のデータまたは当業者の経験に従って、前記機能および前記手順のシーケンスが利用されることを特徴とする、装置の使用方法。
【請求項３】
２つの選択された限度の間の周波数掃引中に、電圧および電流の平均値がそれぞれ、前記外部回路において測定されるか、または事前に選択された値からのこれらの偏差が、選択された期間中に測定される瞬時値を用いて求められ、形成された周波数の各値、および電流／周波数またはインピーダンス／周波数のプロットが表示され、そして、正のピークの存在が、エネルギー吸収、１以上の活発な微生物の存在の指標であり、負のピークの存在が、１以上の不活発な微生物または毒素の存在の指標であることを特徴とする、請求項１に記載の装置の使用方法。
【請求項４】
請求項１に記載の装置の使用方法であって、前記装置は、ＰＣまたはラップトップであり得る外部補助装置上での単純な手順、複雑な手順、または機能のオフラインプログラミングを提供すると共に、本発明による装置の所有者間でインターネットを介して専用のインポート‐エクスポート機構を用いて、あるいは技術文献または既存の電流／インピーダンス‐周波数のプロット、および特定の領域において適用できる当該の経験から得られた結果を用いて、当業者が共有できる個人的経験を反映する共通データベースを生成するものであり、そして、前記装置は、各手順および機能に対応するパラメータを、ＵＳＢ接続を用いてマイクロプロセッサに転送することを可能にし、該マイクロプロセッサは、前記パラメータを保存し、信号が加えられる選択された外部回路における形成された周波数値および電流のリアルタイム読み取りとともに、プログラムされた種類の信号をオンラインで発生し得るものであることを特徴とする、装置の使用方法。
【請求項５】
請求項１に記載の装置の使用方法であって、電流‐周波数のプロットまたはインピーダンス‐周波数のプロットプロセスの走査および生成に２入力差動増幅器が用いられ、前記第１入力が、選択された外部回路において発生される電流の瞬時値と比例し、前記第２入力が、同じマイクロプロセッサＭＰ１によって制御されるデジタル／アナログ変換器（ＤＡＣ）によって発生される信号を受け取り、電流の実際の値の測定時にゼロ値を有するか、あるいは掃引範囲の始めに周波数を有する電気信号に対して測定された電流の平均値の最大１００％までの値を有することができ、次に、掃引プロセス中に、前記マイクロプロセッサによって事前に選択され、ＤＡＣによって形成される値に近いこの電流の変動を測定することを特徴とする、装置の使用方法。
【請求項６】
請求項１に記載の装置の使用方法であって、プログラム、または前記装置の端末の任意の可能な組み合わせの手動選択によって選択できる出力回路への直接結合または逆結合を提供するように、独立したガルバニック絶縁されたチャネルの出力がプログラムされるか手動で選択されるものであり、選択コマンドが、単純な手順、複雑な手順、または機能のプログラミングフィールドに含まれ、且つ前記同じマイクロプロセッサＭＰ１によって自動的に生成されることを特徴とする、装置の使用方法。
【請求項７】
請求項１に記載の装置の使用方法であって、電圧、電流、および周波数の、選択可能な期間に亘る瞬時値または平均値の読み取りを用いて電流／周波数プロットまたはインピーダンス／周波数プロットが、生成されるものであり、前記プロットは、グラフィックデータベースに保存することができ、表示、印刷、または解析のためのインターネットを利用したエクスポートが可能であり、ここで、「ＺＯＯＭ  ＩＮ」コマンドを用いて、走査プロセスの掃引限度内の選択可能な周波数限度間で前記プロットを詳細に表示することができ、前記プロットに微生物および選択された周波数範囲内の前記微生物の共鳴周波数のリストを追加することができ、前記リストは、「プロットグラフ」操作モードに属するデータベースに保存されるものであることを特徴とする、装置の使用方法。
【請求項８】
全結合期間に、寄生虫／バクテリアを駆除するための手順では、選択された出力回路に加えられる信号の、初期値から最終値の間で線形に増加する振幅を使用し、前記回路は、インビトロ検査回路であり得ることを特徴とする、請求項１に記載の装置の使用方法。
【請求項９】
全結合期間に、ウィルスを駆除するための手順では、選択された出力回路に加えられる信号の、初期値から最終値の間で線形に減少する振幅が用いられ、前記回路がインビトロ検査回路であり得ることを特徴とする、請求項１に記載の装置の使用方法。
【請求項１０】
全結合期間に、選択された出力回路における菌類／うどん粉菌／毒素を駆除する手順で一定の値の電流が用いられ、前記回路がインビトロ検査回路であり得ることを特徴とする、請求項１に記載の装置の使用方法。
【請求項１１】
請求項１に記載の装置の使用方法であって、単純な手順の際自動停止オプションが用いられるものであり、該自動停止オプションは、作動させることもさせないことも可能であり、単純な手順を停止し、または、複雑な手順または機能における次の単純な手順にジャンプことを可能にするものであり、ここで、事前に選択された回数の読み取りにわたって平均された電流の２つの連続値の差を第１の電流値で除算し、その結果に値１００を乗じることによって、選択された外部回路における電流勾配の実際の値が百分率で計算され、前記実際の値は、事前に選択された値と比較され、前記実際の勾配値の複数の順次連続測定値が、前記選択された値を下回った場合に、実行中の手順の自動停止が命じられ、この状態は、肯定的な事象と呼ばれ、または、前記実際の勾配値が、前記選択された値を上回った場合は、当該の状態は、否定的な事象と呼ばれ、実行中の手順を停止するために、選択された値を上回る連続数の事象に達するのを待機する事象カウンターに当該の事象が追加されることを特徴とする、装置の使用方法。
上記の出願に関して、国際調査機関の国際調査報告および見解を検討した結果、通知に対する応答を提出するものである。当該の応答によれば、当初のクレームに代えて新たなクレームを提出することとなる。
２つの米国特許、第２００２／００５８９７２  Ａ１号および第２００２／０１３８０９９  Ａ１号に関して、出願人は、下記のコメントを行う：
米国特許第２００２／００５８９７２  Ａ１号は、筋肉を刺激するため特定の波形を用いて筋肉の活動につながる刺激を行わせるための装置および手順に関するものであって、周波数応答を求めようとするものではない。すなわちインビトロ検定試料であり得る外部回路内の一部の微生物の生体共鳴検出を行おうとするものではない。
米国特許第２００２／０１３８０９９  Ａ１号は、病原菌が存在する場合人体によって生成される特定の非調和振動に関するものである。これらの振動は装置によって検出され、測定され、増幅され、変化する位相で戻され、健康な人体によって生成される調和振動と組み合わされる。この手順は、人体の正常な機能を再調和させることにつながる。この種のアプローチでは、被試験外部回路に存在する微生物の共鳴周波数応答を求めることはできない。
Ｄ１、Ｄ２、Ｄ３、Ｄ４と称される添付文献における「項目Ｖに関連する」関連指摘事項の主題である、関数発生器と名付けられたＴＧＡ  １２００装置およびＴＧＡ  １２１０装置に関して、出願人は以下のコメントを行うものである。
‐  本発明による装置と、Ｄ１、Ｄ２、Ｄ３、およびＤ４として参照のため挙げられている装置の間の第一の重要な差異は次のとおりである。
‐  後者の装置は、独自のハードウェアおよびソフトウェアアーキテクチャを用いてこれらの関数を発生する複雑な関数発生器（自律的な装置）であって、これらの装置が作動するために必要となるような一連の専用ソフトウェアを実行する外部コンピュータへのオンライン常時接続（ＵＳＢ、ＲＳ‐２３２、またはＧＰＩＢ）を必要としない。ＵＳＢ、ＲＳ‐２３２、またはＧＰＩＢの既存の外部接続は、これらの複雑な関数発生器に受け入れられる、外部生成波形またはプログラム可能なパラメータを選択するのに用いられるオフライン接続である。Ｄ１、３ページの「波形の生成および編集」の記載から読み取れることは、「波形の生成および編集の機能が機器に組み込まれている。このことには、波形の挿入、点編集、線描画、振幅調整、および反転が含まれる。」ということである。
‐  本発明による装置は、外部ＰＣ／ラップトップへのＵＳＢオンライン接続がなければ動作しないものである。この外部ＰＣ／ラップトップには、各チャネルごとに別個にドライバソフトウェアをインストールしているべきものなのである。このため、本発明による装置は、ハードウェアとソフトウェアが合体した構成を有している。すなわち、ＰＣ／ラップトップと専用ソフトウェアは本発明による装置の統合コンポーネントである。本発明による装置は、それ自体ではいかなる機能も実行しない。この装置は、接続されたＰＣ／ラップトップからＵＳＢ接続を介して受信したすべてのコマンドを実行する。
‐  関連指摘事項であるＤ１、７ページ右欄の「チャネル関係」との記載に関して述べられているのは、「完全に独立」しているかもしれない２つのチャネルが存在するということである。本発明による装置におけるように、これらのチャネルは電気的に絶縁されていると特定的に明示されているわけではない。さらに、注記すべきことは、本発明による装置の各チャネルは、ＰＣ／ラップトップの独立したＵＳＢチャネルにオンライン接続されている場合のみ動作するということである。
‐  関連指摘事項であるＤ１、５ページ右欄の「標準波形」という部分に関して、正弦波形／矩形波形／三角波形の生成を新規性のあるものとして保護を請求しようとしているものではない。なぜならば、これらの波形は、Ａｎａｌｏｇ  Ｄｅｖｉｃｅｓ社のＤＤＳ回路ＡＳ９８３３など特殊な集積回路によって生成されるからである。注記すべきことは、本発明による装置は、これら３つの波形をすべて、もっぱら装置の統合的部分として使用するものである。
‐  関連指摘事項であるＤ１、８ページ右欄の「機械パワー、コンプライアンス」という部分に関して述べるべきことは、本発明による装置の説明中、電源は、電気的に絶縁された２つの独立したチャネルを備える電源を含め、２つのチャネルが電気的に絶縁されているものであることを単に開示するものであるが、これに反し、参照用参考例として挙げられる装置はこの条件を提供せず、「１００〜２３０Ｖ＋／−１４％、５０／６０／４００Ｈｚ、ユニバーサル入力」という関連があるだけで、それ以上の関連性はない。
‐  関連指摘事項であるＤ１、４ページ右欄の「波形のダウンロード／アップロード（モデルＴＧＡ  １２１０２およびＴＧＡ  １２１０４）」に関して述べると、該関連指摘事項によれば、ＲＳ‐２３２接続、ＧＰＩＢ接続、またはＵＳＢ接続を用いて、これらの複雑な関数発生器への／からの波形のアップロード／ダウンロードができるというものである。本発明による装置は、ＴＧＡ  １２１０２装置またはＴＧＡ  １２１０４装置が生成するのと同じ方法で波形を生成することはない。また、アップロード／ダウンロード手順は、本発明により製造される２種類の製品間で方向性をもって実行される。ここでは、ＰＣ／ラップトップがこれらの装置の統合部分であり、通信チャネルはインターネット網により提供される。
‐  関連指摘事項であるＤ１、４ページの「特別設計のソフトウェア」に関して述べると、本発明による装置のソフトウェアと、Ｄ１、４ページに記述されているソフトウェアには大きな差異がある。この差異は、下記のことに基づくものである、すなわち、参照用参考例の装置は、複雑な関数を発生し自律的に動作する独立した発生器であるが、本発明による装置は、上記のように、複雑な関数を発生する独立した発生器ではないということに基づくものである。
‐  関連指摘事項であるＤ１、３ページ左欄の「波形の生成および編集など」に関して述べると、本発明による装置は、ＰＣ／ラップトップによって送信された初期振幅を、「合計オン時間」フィールドで指定された期間、バイアスパラメータで指定された割合で増減させるバイアス機能を導入することにより振幅を調整する。また、直接／逆出力結合は、ＰＣ／ラップトップによって動作する特定のリレーによって提供される。本発明による装置のこれらの特定の機能とは異なり、参照用参考例では、「振幅の調整および反転」がこれらの装置に組み込まれていることが言及されているに過ぎない。
‐  「『信号の出力電圧とこの回路の電流値を読み取るためのコマンドと、事前に選択された電圧値に近い出力電流値の読み取りを可能にする、事前に選択された電圧レベルを提供するデジタル／アナログ変換器を設定するためのコマンド』という特徴はＤ１中に明示的に開示されていないが、これらの特徴は、関数発生器の当業者にとって通常の設計事項の手順であり、したがって発明力を要する技術を必要としない（特許協力条約第３３（３）条）」に関して述べると、留意すべことは、この機能は参照用参考例の装置には含まれておらず、専門会社が製造した装置のほとんどにも含まれていないことである。注目すべきことは、本発明による装置は、既存の装置およびその機能では充足し得なかった要請の結果創出されたことである。これらの機能は関数発生器分野の専門家にとって通常の設計事項の手順であり、「発明力を要する技術」を必要としないという想定を受け入れることはできない。それは、発明の説明に従って再現される場合のみ「当業者」が本発明を実施することができるという、単純な理由からである。したがって、本発明は全体として、発明力を要する技術を構成するものである。本発明の発明者の知識によれば、特許を付与するための要件の１つは、「当業者」が発明の説明を用いなければ発明を実施することができないということである。当方の見解によれば、これが、発明の説明において実施例を提示する目的である。
【国際調査報告】
2008513097.tif 000022
2008513097.tif 000023
2008513097.tif 000024
2008513097.tif 000025